【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】  スプレーヘッド特に消火に用いるスプレーヘッド（４、２０４）を１０ｍｍを超える厚みの壁特にコンクリート壁の開口部に取付けるための取付機構で、その取付機構がスプレーヘッド（４、２０４）を受けるためのホルダー（１、２０１、３０１）を含むものであって、
その取付機構が、クランプ部品（６、２０６、３０６）を含み、そのクランプ部品がホルダー（１、２０１、３０１）内のねじ（２、２０２、３０２）に係合するねじ（７、２０７、３０７）を含み、かつ、それによりホルダーおよびそのホルダーにより保持された拡大手段（１１、２１１、３１１）に対して軸方向に移動でき、クランプ部品（６、２０６、３０６）が、その動きにより、拡大手段（１１、２１１、３１１）を、その拡大手段の直径（Ｄ１、Ｄ）が第一の値を有するゼロ位置から固定位置に移動させ、そこで壁にスプレーヘッドを固定する目的のために開口部の壁に拡大手段を押付けるために、その拡大手段の直径を第二の値に増大させるように配置されていること
を特徴とする取付機構。
【請求項２】  スプレーヘッド特に消火に用いるスプレーヘッド（１０４、２０４）を３０ｍｍより少ない厚みの壁特にシート状の壁の開口部に取付けるための取付機構であって、スプレーヘッド（１０４、２０４）を受けるためのホルダー（１０１、２０１、３０１）を含む取付機構において、
その取付機構が、ホルダー内のねじ（１０２、２０２、３０２）に係合するねじ（１０７、２０７、３０７）を含み、かつ、それによりホルダーに対して軸方向に移動できるクランプ部品（１０６、２０６、３０６）；内部開口部を有するスリーブ部分を含むスリーブ状部分（１５０）、および、スリーブ状部分の一端の壁の表面に固定するためのフランジ状の部分（１５１）を有するフランジ・サポート（１５２、２５２、３５２）；並びに、ホルダー（１０１、２０１、３０１）により保持される拡大手段（１１１、２１１、３１１）を含み、該クランプ部品が、その移動により拡大手段（１１１、２１１、３１１）を、その拡大手段の直径（Ｄ１、Ｄ）がスリーブ状部分の内部開口部の直径より小さい第一の値を有するゼロ位置から固定位置に移動させて、そこでスリーブ状部分を通って壁にスプレーヘッドを固定する目的でスリーブ状部分内の内部開口部の壁に拡大手段を押付けるために拡大手段の直径を第二の値に増大させるように配置されることを
特徴とする取付機構。
【請求項３】  拡大手段が弾性部品（１１、１１１、２１１）を含むことを特徴とする請求項１または２に記載の取付機構。
【請求項４】  上記弾性部品がホルダー（１、１０１、２０１）のリムに組込まれたリング部品（１１、１１１、２１１）であることを特徴とする請求項３に記載の取付機構。
【請求項５】  上記リング部品（１１、１１１）が２面の押付け面の間に組込まれていることを特徴とする請求項３または４に記載の取付機構。
【請求項６】  一方の押付け面がスぺーサー・プレート（９、１０９）の平坦な面であることを特徴とする請求項５に記載の取付機構。
【請求項７】  リング部品（２１１）が円錐部品（２０９）の円錐面（２０９ａ）に寄せて取付けられることを特徴とする請求項３または４に記載の取付機構。
【請求項８】  クランプ部品（３０６）が細くなる部分（３６０）を含み、かつ、拡大手段（３１１）が少なくとも３個の運動部品（３１１ｂ）を含み、クランプ部品が動くとき、その運動部品がホルダー（３０１）の軸に対して、ホルダー（３０１）の半径方向外方に移動し、細くなる部分によりガイドされるように配置されていることを特徴とする請求項１または２に記載の取付機構。
【請求項９】  上記運動部品がホルダー・リング（３１１ａ）内に配置されたボール（３１１ｂ）であり、そのホルダー・リングの壁が少なくとも主としてホルダー（３０１）の軸方向に沿って伸ばした開口部（３８０）を有していて、開口部の小さい方の直径ｄ１がボールの直径より小さく、開口部の第一端部から開口部の第二端部へと直径が増加することを特徴とする請求項８に記載の取付機構。
【請求項１０】  クランプ部品（６、１０６、２０６、３０６）がスリーブ状部分とそれに形成されたフランジ（８、１０８、２０８、３０８）を含むことを特徴とする請求項１または２に記載の取付機構。
【請求項１１】  フランジ（８、１０８、２０８、３０８）がフランジとクランプ部品（６、１０６、２０６、３０６）を回すために把持ショルダーを有していることを特徴とする請求項１０に記載の取付機構。
【請求項１２】  クランプ部品（６、１０６、２０６、３０６）のねじ（７、１０７、２０７、３０７）は左ねじであることを特徴とする請求項１または２に記載の取付機構。
【請求項１３】  スプレーヘッドおよびスプレーヘッドの取付機構の組合わせで、上記取付機構は、スプレーヘッド（４、２０４）を１０ｍｍを超える厚みの壁特にコンクリート壁の開口部に取付けることを意図し、スプレーヘッド（４、２０４）を回転可能に受けるためのねじ（３、２０３、３０３）を含むホルダー（１、２０１、３０１）を含むものであって、
その取付機構が、クランプ部品（６、２０６、３０６）を含み、そのクランプ部品がホルダー（１、２０１、３０１）内のねじ（２、２０２、３０２）に係合するねじ（７、２０７、３０７）を含み、かつ、それによりホルダーおよびそのホルダーにより保持された拡大手段（１１、２１１、３１１）に対して軸方向に移動でき、上記クランプ部品が、その動きにより、拡大手段（１１、２１１、３１１）を、その拡大手段の直径（Ｄ１、Ｄ）が第一の値を有するゼロ位置から固定位置に移動させて、そこで壁にスプレーヘッドを固定する目的のために開口部の壁に拡大手段を押付けるために、その拡大手段の直径を第二の値に増大させるように配置されていること、および、
そのスプレーヘッドがねじ（５、２０５）を含み、その方向がクランプ部品（６、２０６、３０６）のねじ（７、２０７、３０７）の向きと逆であること、
を特徴とする組合わせ。
【請求項１４】  スプレーヘッドおよびスプレーヘッドの取付機構の組合わせで、上記取付機構が３０ｍｍより少ない厚みの壁特に層状の壁の開口部にスプレーヘッド（１０４、２０４）を取付けることを意図し、かつ、スプレーヘッド（１０４）を回転可能に受けるためにねじ（１０３、２０３、３０３）を含むホルダー（６、２０６、３０６）を含むものであって、
上記取付機構は、ホルダー（１０１、２０１、３０１）内のねじ（１０２、２０２、３０２）に係合するねじ（１０７、２０７、３０７）を含み、かつ、それによりホルダーに対して軸方向に移動できるクランプ部品（１０６、２０６、３０６）；内部開口部を有するスリーブ部分を含むスリーブ状部分（１５０）、および、スリーブ状部分の一端で壁の表面に固定するためのフランジ状の部分（１５１）を有するフランジ・サポート（１５２、２５２、３５２）；並びに、ホルダー（１０１、２０１、３０１）により保持される拡大手段（１１１、２１１、３１１）を含み、該クランプ部品がその移動により拡大手段（１１１、２１１、３１１）を、その拡大手段の直径（Ｄ１、Ｄ）をスリーブ状部分の内部開口部の直径より小さい第一の値を有するゼロ位置から固定位置に移動させて、そこでスリーブ状部分を通って壁にスプレーヘッドを固定する目的でスリーブ状部分内の内部開口部の壁に拡大手段を押付けるために拡大手段の直径を第二の値に増大させるように配置されること、および、
上記スプレーヘッド（１０４、２０４）がねじを含み、その方向がクランプ部品（１０６、２０６、３０６）のねじ（１０７、２０７、３０７）の向きと逆であること、
を特徴とする組合わせ。
【請求項１５】  スプレーヘッド（４、１０４）が、上記スプレーヘッドを上記ホルダー（１、２０１）にクランプし、また、そのスプレーヘッドを上記ホルダーから取り外すため、工具により係合させるための平坦なクランプ面（１６、２１６）を含むことを特徴とする請求項１３または１４に記載の組合わせ。
【手続補正２】
【補正対象書類名】明細書
【補正対象項目名】００１２
【補正方法】変更
【補正の内容】
【００１２】
これを達成するために、本発明の取付機構は、スプレーヘッドを３０ｍｍ未満の厚い壁にスプレーヘッドを取付けることを意図していて、ホルダー内のねじに係合するためのねじを含み、それによりホルダーに対して軸方向に移動できるクランプ部品、内部開口部を有するスリーブ部分を含むスリーブ状部分、かつ、スリーブ状部分の一端に壁の表面に固定するためにフランジ状の部分を有するフランジ・サポート；および、ホルダーにより保持される拡大手段を含むことを特徴としている。クランプ部品はその動きにより拡大手段の直径をスリーブ状部分の内部開口部の直径より小さい第一の値を有するゼロ位置から固定位置に移動させて、そこでスリーブ状部分を通って壁にスプレーヘッドを固定する目的でスリーブ状部分内の内部開口部の壁面に拡大手段を押付けるために拡大手段の直径を第二の値に増大させるようになっている。
本発明の取付機構の好ましい実施例は添付した請求項３から１２に開示されている。